(57)【特許請求の範囲】
【請求項１】
ユーザ端末と無線通信を行う基地局であって、
ユーザ端末を登録するユーザ端末登録部と、
前記ユーザ端末登録部に登録されたユーザ端末と前記基地局との間、及び前記ユーザ端末登録部に登録されたユーザ端末以外のユーザ端末と前記基地局との間で、接続処理を行う接続処理部と、
前記基地局により利用されているリソースのリソース量を測定するリソース量測定部と、
前記リソース量測定部により測定された前記基地局により利用されているリソースのリソース量があらかじめ定められた閾値以上である場合に、前記ユーザ端末登録部に登録されたユーザ端末以外のユーザ端末から、呼切断するユーザ端末を選択する呼切断ユーザ端末選択部と
を有し、
前記接続処理部は、前記呼切断ユーザ端末選択部により選択された呼切断するユーザ端末との間の接続を切断し、
前記リソースは、無線リソースである、基地局。
【請求項２】
ユーザ端末と無線通信を行う基地局であって、
ユーザ端末を登録するユーザ端末登録部と、
前記ユーザ端末登録部に登録されたユーザ端末と前記基地局との間、及び前記ユーザ端末登録部に登録されたユーザ端末以外のユーザ端末と前記基地局との間で、接続処理を行う接続処理部と、
前記基地局により利用されているリソースのリソース量を測定するリソース量測定部と、
前記リソース量測定部により測定された前記基地局により利用されているリソースのリソース量があらかじめ定められた閾値以上である場合に、前記ユーザ端末登録部に登録されたユーザ端末以外のユーザ端末から、呼切断するユーザ端末を選択する呼切断ユーザ端末選択部と
を有し、
前記接続処理部は、前記呼切断ユーザ端末選択部により選択された呼切断するユーザ端末との間の接続を切断し、
前記リソースは、接続制御に関するパラメータのリソースである、基地局。
【請求項３】
請求項１または２に記載の基地局において、
前記呼切断ユーザ端末選択部は、接続時間が長いユーザ端末の順に、呼切断するユーザ端末を選択する、基地局。
【請求項４】
請求項１または２に記載の基地局において、
前記呼切断ユーザ端末選択部は、送信するデータが存在しない無通信時間が長いユーザ端末の順に、呼切断するユーザ端末を選択する、基地局。
【請求項５】
請求項１または２に記載の基地局において、
前記リソース量測定部により、前記基地局により利用されているリソース量が前記あらかじめ定められた閾値以上であると判定された場合に、ユーザ端末毎に設定される、呼の解放を行うまでの無通信時間を表す閾値のうち、前記ユーザ端末登録部に登録されたユーザ端末以外のユーザ端末に対応する閾値を短い値に設定する呼解放時間閾値設定部
を有し、
前記接続処理部は、前記無通信時間が前記呼解放時間閾値設定部に設定された閾値に達したユーザ端末との間の呼を切断する、基地局。
【請求項６】
請求項１または２に記載の基地局において、
前記呼切断ユーザ端末選択部は、前記ユーザ端末登録部に登録されたユーザ端末以外のユーザ端末の全てを選択する、基地局。
【請求項７】
請求項１ないし６のいずれか１項に記載の基地局において、
前記基地局により利用可能なリソースのリソース量に基づいて、前記ユーザ端末登録部に登録されたユーザ端末に使用させるリソース量と、該ユーザ端末登録部に登録されたユーザ端末以外のユーザ端末に使用させるリソース量との間の割合を設定するリソース割合設定部
を有する、基地局。
【請求項８】
請求項１ないし７のいずれか１項に記載の基地局において、
前記リソースには、CQIリソース使用率、スケジューリングリクエストリソース使用率、サウンディングリファレンスシグナルリソース使用率、ベースバンド使用率、送信電力、CPU使用率、及び伝送路使用率のうち、少なくとも１つが含まれる、基地局。
【請求項９】
ユーザ端末と無線通信を行う基地局における通信方法であって、
ユーザ端末を登録するユーザ端末登録ステップと、
前記ユーザ端末登録ステップにより登録されたユーザ端末と前記基地局との間、及び前記ユーザ端末登録ステップにより登録されたユーザ端末以外のユーザ端末と前記基地局との間で、接続処理を行う接続処理ステップと、
前記基地局により利用されているリソースのリソース量を測定するリソース量測定ステップと、
前記リソース量測定ステップにより測定された前記基地局により利用されているリソースのリソース量が所定の閾値以上である場合に、前記ユーザ端末登録ステップにより登録されたユーザ端末以外のユーザ端末から、呼切断するユーザ端末を選択する呼切断ユーザ端末選択ステップと、
前記呼切断ユーザ端末選択ステップにより選択された呼切断するユーザ端末との間の接続を切断する呼切断ステップと
を有し、
前記リソースは、無線リソースである、通信方法。
【請求項１０】
ユーザ端末と無線通信を行う基地局における通信方法であって、
ユーザ端末を登録するユーザ端末登録ステップと、
前記ユーザ端末登録ステップにより登録されたユーザ端末と前記基地局との間、及び前記ユーザ端末登録ステップにより登録されたユーザ端末以外のユーザ端末と前記基地局との間で、接続処理を行う接続処理ステップと、
前記基地局により利用されているリソースのリソース量を測定するリソース量測定ステップと、
前記リソース量測定ステップにより測定された前記基地局により利用されているリソースのリソース量が所定の閾値以上である場合に、前記ユーザ端末登録ステップにより登録されたユーザ端末以外のユーザ端末から、呼切断するユーザ端末を選択する呼切断ユーザ端末選択ステップと、
前記呼切断ユーザ端末選択ステップにより選択された呼切断するユーザ端末との間の接続を切断する呼切断ステップと
を有し、
前記リソースは、接続制御に関するパラメータのリソースである、通信方法。
【発明の詳細な説明】
【技術分野】
【０００１】
本発明は、無線通信システムに関する。
【背景技術】
【０００２】
LTE(Long Term Evolution)は、W-CDMA(Wideband-Code Division Multiple Access)の標準化団体3GPP(3rd Generation Partnership Project)にて、仕様が作成されている。LTEは、W-CDMAの拡張技術であるHSPA(High Speed Packet Access)から更に発展した標準規格である。LTEでは、下りリンクにおいて100Mbps以上、上りリンクにおいて50Mbps以上の高速通信が実現され、遅延の改善や周波数の利用効率向上などが図られる。
【０００３】
LTEにおいても、3Gと同様に、特に、家庭内や小規模店舗などでのエリア化を実現するための対策として、小型基地局を設置することが検討されている。
【０００４】
例えば、ＬＴＥ対応フェムト無線基地局装置（以下、「フェムト基地局」という）は、家庭内や小規模店舗以外にも、鉄塔上やビルの屋上などに設置される。該フェムト基地局は、半径数十メートル程度の限られた範囲を通話エリアとする。
【先行技術文献】
【非特許文献】
【０００５】
【非特許文献１】3GPP TR 36.921 V9.0.0 (7.5 Hybrid Cells) 2010 03
【発明の概要】
【発明が解決しようとする課題】
【０００６】
例えば、通常の基地局によりカバーされるセル（以下、「マクロセル」という）を形成しているエリアで、ホットスポット的にフェムト基地局によりカバーされるセル（以下、「フェムトセル」という）を導入することが検討されている。
【０００７】
また、LTEでは、ハイブリッドセル(HeNBs: Hybrid Cells)を導入することが検討されている（例えば、非特許文献１参照）。ハイブリッドセルでは、該ハイブリッドセルに当初よりアクセス権のあるユーザグループ(CSG(Closed Subscriber Group) member)に加え、該ハイブリッドセルにアクセス権のないユーザグループ(non-CSG member)にもアクセス権が与えられる。すなわち、ハイブリッドセルでは、CSG memberと、非CSG memberとが混在する。ハイブリッドセルを運用する基地局は通常の基地局とは限らず、フェムト基地局がハイブリッドセルを運用する場合もある。
【０００８】
しかし、フェムト基地局は、通常の基地局（マクロ基地局とも呼ばれる）に比べて、割り当てることができるリソースが制限される。このため、フェムト基地局によりハイブリッドセルが運用される場合には、ハイブリッドセルを運用しない場合と比べて、リソースが逼迫する機会が増大し、CSG memberであるユーザ端末に対してもリソースを効率的に割り当てることができなくなる。この結果、CSG memberであるユーザ端末のスループットが低下する。
【０００９】
また、リソースが逼迫した状態では、接続要求を行うユーザ端末がCSG memberであっても呼接続できないおそれがある。その結果、CSG memberであるユーザ端末に対しても、音声呼や、パケット通信などの各種サービスを提供できないという現象が発生する。非CSG memberであるユーザ端末が通信中であるために、CSG memberであるユーザ端末からの呼が接続されないのは、ハイブリッドセルを提供する事業者としては好ましくない。
【００１０】
そこで、本発明は上述した問題点に鑑みてなされたものであり、その目的は、基地局が、登録されているユーザ端末、及び登録されていないユーザ端末に対して接続可能に設定されている場合に、登録されているユーザ端末に対してリソースを確保することである。
【課題を解決するための手段】
【００１１】
本基地局は、
ユーザ端末と無線通信を行う基地局であって、
ユーザ端末を登録するユーザ端末登録部と、
前記ユーザ端末登録部に登録されたユーザ端末と前記基地局との間、及び前記ユーザ端末登録部に登録されたユーザ端末以外のユーザ端末と前記基地局との間で、接続処理を行う接続処理部と、
前記基地局により利用されているリソースのリソース量を測定するリソース量測定部と、
前記リソース量測定部により測定された前記基地局により利用されているリソースのリソース量があらかじめ定められた閾値以上である場合に、前記ユーザ端末登録部に登録されたユーザ端末以外のユーザ端末から、呼切断するユーザ端末を選択する呼切断ユーザ端末選択部と
を有し、
前記接続処理部は、前記呼切断ユーザ端末選択部により選択された呼切断するユーザ端末との間の接続を切断し、
前記リソースは、無線リソースである。
本基地局は、
ユーザ端末と無線通信を行う基地局であって、
ユーザ端末を登録するユーザ端末登録部と、
前記ユーザ端末登録部に登録されたユーザ端末と前記基地局との間、及び前記ユーザ端末登録部に登録されたユーザ端末以外のユーザ端末と前記基地局との間で、接続処理を行う接続処理部と、
前記基地局により利用されているリソースのリソース量を測定するリソース量測定部と、
前記リソース量測定部により測定された前記基地局により利用されているリソースのリソース量があらかじめ定められた閾値以上である場合に、前記ユーザ端末登録部に登録されたユーザ端末以外のユーザ端末から、呼切断するユーザ端末を選択する呼切断ユーザ端末選択部と
を有し、
前記接続処理部は、前記呼切断ユーザ端末選択部により選択された呼切断するユーザ端末との間の接続を切断し、
前記リソースは、接続制御に関するパラメータのリソースである。
【００１２】
本通信方法は、
ユーザ端末と無線通信を行う基地局における通信方法であって、
ユーザ端末を登録するユーザ端末登録ステップと、
前記ユーザ端末登録ステップにより登録されたユーザ端末と前記基地局との間、及び前記ユーザ端末登録ステップにより登録されたユーザ端末以外のユーザ端末と前記基地局との間で、接続処理を行う接続処理ステップと、
前記基地局により利用されているリソースのリソース量を測定するリソース量測定ステップと、
前記リソース量測定ステップにより測定された前記基地局により利用されているリソースのリソース量が所定の閾値以上である場合に、前記ユーザ端末登録ステップにより登録されたユーザ端末以外のユーザ端末から、呼切断するユーザ端末を選択する呼切断ユーザ端末選択ステップと、
前記呼切断ユーザ端末選択ステップにより選択された呼切断するユーザ端末との間の接続を切断する呼切断ステップと
を有し、
前記リソースは、無線リソースである。
本通信方法は、
ユーザ端末と無線通信を行う基地局における通信方法であって、
ユーザ端末を登録するユーザ端末登録ステップと、
前記ユーザ端末登録ステップにより登録されたユーザ端末と前記基地局との間、及び前記ユーザ端末登録ステップにより登録されたユーザ端末以外のユーザ端末と前記基地局との間で、接続処理を行う接続処理ステップと、
前記基地局により利用されているリソースのリソース量を測定するリソース量測定ステップと、
前記リソース量測定ステップにより測定された前記基地局により利用されているリソースのリソース量が所定の閾値以上である場合に、前記ユーザ端末登録ステップにより登録されたユーザ端末以外のユーザ端末から、呼切断するユーザ端末を選択する呼切断ユーザ端末選択ステップと、
前記呼切断ユーザ端末選択ステップにより選択された呼切断するユーザ端末との間の接続を切断する呼切断ステップと
を有し、
前記リソースは、接続制御に関するパラメータのリソースである。
【発明の効果】
【００１３】
開示の実施例によれば、基地局が、登録されているユーザ端末、及び登録されていないユーザ端末に対して接続可能に設定されている場合に、登録されているユーザ端末に対して、リソースを確保することができる。
【図面の簡単な説明】
【００１４】
【図１】本実施例に従ったシステムの一例を示す図である。
【図２】本実施例に従った呼受付判定方法（その１）を示すフローチャートである。
【図３】本実施例に従った呼受付判定方法（その２）を示すフローチャートである。
【図４】本実施例に従った呼受付判定方法（その３）を示すフローチャートである。
【図５】本実施例に従った基地局の一例を示す機能ブロック図である。
【図６】本実施例に従った基地局の一例を示す機能ブロック図である。
【図７】本実施例に従ったシステムの動作の一例を示すシーケンスチャートである。
【図８】本実施例に従った呼受付判定方法（その４）を示すフローチャートである。
【図９】本実施例に従った呼受付判定方法（その５）を示すフローチャートである。
【図１０】本実施例に従った基地局の一例を示す機能ブロック図である。
【図１１】本実施例に従った基地局の一例を示す機能ブロック図である。
【図１２】本実施例に従ったシステムの動作の一例を示すシーケンスチャートである。
【図１３】本実施例に従った基地局の一例を示す機能ブロック図である。
【発明を実施するための形態】
【００１５】
次に、本発明を実施するための形態を、以下の実施例に基づき図面を参照しつつ説明する。
なお、実施例を説明するための全図において、同一機能を有するものは同一符号を用い、繰り返しの説明は省略する。
【００１６】
＜第１の実施例＞
＜システム＞
本実施例に従った小型基地局、及び基地局（マクロ基地局）が適用される環境について説明する。
【００１７】
小型基地局、及び基地局が適用される環境は、複数の移動体通信システムが混在する環境であってもよい。該移動体通信システムには、LTEが含まれてもよい。また、LTEの次世代の無線通信システム、例えば、LTE-Advanced(LTE Rel.10 and beyond)が含まれてもよい。
【００１８】
基地局によりカバーされるエリアには、１又は複数のセルが含まれる。該複数のセルには、同一周波数帯で無線通信可能なセルが存在する。
【００１９】
図１は、小型基地局、及びマクロ基地局が適用される環境の一例を示す。図１には、一例として、LTE方式に従った基地局としての第１の基地局１００と、該第１の基地局１００によりカバーされるエリアが示される。該エリアには、ユーザ端末(UE: User Equipment)との間で無線通信可能なセル１５０が含まれる。該エリア１５０には、小型基地局としての第２の基地局２００が設置される。第２の基地局２００は、フェムト基地局、ピコセルをカバーする基地局（ピコ基地局）等であってもよい。本実施例では一例として、第２の基地局２００がフェムト基地局である場合について説明する。
【００２０】
第１の基地局１００の電波が届きにくい範囲をカバーする観点からは、第２の基地局２００が設置される位置は第１の基地局１００によりカバーされるエリア内であることが好ましい。例えば、屋内に設置されてもよい。具体的には、ビル等の建物内に設置されてもよいし、家庭内や小規模店舗に設置されてもよい。また、屋外に設置されてもよい。具体的には、鉄塔上やビルの屋上に設置されてもよい。第１の基地局１００によりカバーされるエリアと、第２の基地局２００によりカバーされるエリアの少なくとも一部が重複するようにしてもよい。第１の基地局１００によりカバーされるエリアと、第２の基地局２００によりカバーされるエリアの少なくとも一部を重複させることにより、不感地帯を減少させることができる。第２の基地局２００は、エリア２５０をカバーする。該エリア２５０には、ユーザ端末３００が位置する。該ユーザ端末３００は、第２の基地局２００を介して、無線通信可能である。該ユーザ端末３００は、第２の基地局２００へのアクセス権を有していてもよいし、アクセス権を有さなくてもよい。
【００２１】
第１の基地局１００、第２の基地局２００は、交換局（図示無し）と接続される。交換局は、コアネットワーク（図示なし）と接続される。ユーザ端末３００は、第１の基地局１００又は第２の基地局２００との間で、LTE方式により通信を行う。第１の基地局１００、及び第２の基地局２００は、エヴォルブドパケットコア(EPC: Evolved Packet Core)（図示なし）と接続されてもよい。
【００２２】
＜第１の基地局＞
第１の基地局１００は、第１の移動通信システム(LTE)における動作を少なくとも実行する。第１の基地局１００は、アクセスポイントAPとして言及されてもよい。第１の基地局１００は、第１の移動通信システム(LTE)だけでなく、第２の移動通信システム（3G）における処理を実行してもよい。第１の移動通信システム(LTE)における第１の基地局(eNB: eNodeB)１００は、例えば、無線リソースの管理、IPヘッダ圧縮及び暗号処理、ユーザトラヒックデータのルーティング、ページングメッセージや報知情報のスケジューリング等を行う。該第１の基地局１００によりカバーされるセルは、マクロセルとも呼ばれる。
【００２３】
本実施例が適用可能なシステムは、LTE及びUTRA方式のシステムに限定されず、他のシステムでもよい。例えば、GERAN(GSM)、CDMA2000、UMTS等の方式のシステムや、第4世代の移動通信システム等にも、本発明は適用可能である。
【００２４】
＜第２の基地局＞
第２の基地局２００は、ハイブリッドセルを運用する。ハイブリッドセルでは、該ハイブリッドセルにアクセス権のあるユーザグループ(CSG(Closed Subscriber Group) member)に加え、該ハイブリッドセルにアクセス権のないユーザグループ(non-CSG member)にもアクセス権が与えられる。アクセス権のあるユーザグループにユーザ端末を帰属させるためには、帰属させたいユーザ端末の識別子を予め登録するようにしてもよい。すなわち、ハイブリッドセルでは、CSG member（以下、「登録ユーザ端末」という）と、非CSG member（以下、「非登録ユーザ端末」という）とが混在する。
【００２５】
該第２の基地局２００は、当該第２の基地局２００により割り当てることができるリソース量（以下、「割り当てリソース量」という）に応じて、新たに呼接続要求を行うユーザ端末３００に対して呼接続を行うかどうかを判定する。ここで、割り当てリソース量には、無線リソースと、接続制御に必要なパラメータ等のリソースとが含まれる。他の要素が含まれてもよい。本実施例では、割り当てリソースの一例として、割り当てることができる無線リソース量（以下、「割り当て無線リソース量」という）を適用した場合について主に説明する。割り当て無線リソース量以外のリソースを適用した場合でも同様である。
【００２６】
該第２の基地局２００は、当該第２の基地局２００の割り当て無線リソース量に応じて、新たに呼接続要求を行うユーザ端末３００に対して呼接続を行うかどうかを判定する。ここで、割り当て無線リソース量とは、接続中のユーザ端末に割り当てた無線リソース量の合計であってもよいし、当該第２の基地局２００が使用することができる無線リソース量から接続中のユーザ端末に割り当てた無線リソース量の合計を減算した残りの無線リソース量であってもよい。割り当て無線リソース量をどのような量にするかは適宜設定可能である。本実施例では、一例として、接続中のユーザ端末に割り当てた無線リソース量の合計である場合について説明する。
【００２７】
無線リソースには、CQI(Channel Quality Indicator)リソース使用率、スケジューリングリクエスト(SR: Scheduling Request) リソース使用率、サウンディングリファレンスシグナル(SRS: Sounding Reference Signal)リソース使用率、ベースバンド(BB: Base Band)使用率、送信電力等が含まれる。
【００２８】
CQIは通信品質を表す指標である。スケジューリングリクエストは、ユーザ端末が、基地局に無線リソースの割り当てを要求する際に送信する信号である。サウンディングリファレンスシグナルは、パイロット信号である。送信電力には、PHICH送信電力が含まれる。PHICHはHARQのACK/NACKを送信するためのチャネルである。
【００２９】
無線リソース以外のリソースには、CPU使用率、伝送路使用率が含まれる。
【００３０】
＜呼受付判定方法（その１）＞
第２の基地局２００には、無線リソース量の閾値（以下、「無線リソース量閾値」という）が設定される。ここで、無線リソース量閾値は、呼接続要求を受け付けないと判定する場合の無線リソース量であってもよいし、該無線リソース量から所定のマージンを加減算した無線リソース量であってもよい。ここで、呼接続を行う対象としては、登録ユーザ端末であってもよいし、非登録ユーザ端末であってもよいし、非登録ユーザ端末及び登録ユーザ端末の両方であってもよい。非登録ユーザ端末からの呼を制限する観点からは、呼接続を行う対象は非登録ユーザ端末、又は、非登録ユーザ端末及び登録ユーザ端末の両方であるのが好ましい。
【００３１】
図２は、呼受付判定方法（その１）を示すフローチャートである。
【００３２】
該第２の基地局２００は、ユーザ端末３００から呼接続要求を受信する（ステップＳ２０２）。
【００３３】
該第２の基地局２００は、割り当て無線リソース量が、無線リソース量閾値以上であるかどうかを判定する（ステップＳ２０４）。
【００３４】
割り当て無線リソース量が無線リソース量閾値以上である場合（ステップＳ２０４：ＹＥＳ）、該第２の基地局２００は、該ユーザ端末３００からの呼接続要求を受け付けないと判定する（ステップＳ２０６）。例えば、非登録ユーザ端末からの呼接続要求を受け付けないと判定する。
【００３５】
割り当て無線リソース量が無線リソース量閾値未満である場合（ステップＳ２０４：ＮＯ）、該第２の基地局２００は、呼接続を行う対象となるユーザ端末３００からの呼接続要求を受け付けると判定する（ステップＳ２０８）。
【００３６】
無線リソース量閾値に基づいて、呼接続要求を受け付けるかどうかを判定することにより、大量の呼が受け付けられることにより生じる輻輳を回避することができる。該輻輳は、装置内の輻輳であってもよい。
【００３７】
＜呼受付判定方法（その２）＞
第２の基地局２００は、２つの無線リソースの閾値（以下、「第１の無線リソース量閾値」、「第２の無線リソース量閾値」という）を有する。第１の無線リソース量閾値は、呼接続要求を受け付けないと判定する場合の無線リソース量であってもよいし、該無線リソース量から所定のマージンを加減算した無線リソース量であってもよい。ここで、呼接続を行う対象としては、登録ユーザ端末であってもよい。
【００３８】
第２の無線リソース量閾値は、非登録ユーザ端末からの呼接続要求を受け付けないと判定するための無線リソース量である。但し、割り当て無線リソース量が該第２の無線リソース量閾値を超えた場合でも、登録ユーザ端末からの呼接続要求は受け付けられる。該第２の無線リソース量閾値は、第１の無線リソース量閾値未満の無線リソース量であるのが好ましい。
【００３９】
図３は、呼受付判定方法（その２）を示すフローチャートである。
【００４０】
該第２の基地局２００は、ユーザ端末３００から呼接続要求を受信する（ステップＳ３０２）
該第２の基地局２００は、割り当て無線リソース量が、第１の無線リソース量閾値以上であるかどうかを判定する（ステップＳ３０４）。
【００４１】
割り当て無線リソース量が第１の無線リソース量閾値以上である場合（ステップＳ３０４：ＹＥＳ）、該第２の基地局２００は、該ユーザ端末３００が登録ユーザ端末であるかどうかに関わらず、該ユーザ端末からの呼接続要求を受け付けないと判定する（ステップＳ３０６）。
【００４２】
割り当て無線リソース量が第１の無線リソース量閾値未満である場合（ステップＳ３０４：ＮＯ）、該第２の基地局２００は、割り当て無線リソース量が、第２の無線リソース量閾値以上であるかどうかを判定する（ステップＳ３０８）。
【００４３】
割り当て無線リソース量が第２の無線リソース量閾値以上である場合（ステップＳ３０８：ＹＥＳ）、換言すれば、割り当て無線リソース量が第１の無線リソース量閾値未満であり、且つ第２の無線リソース量閾値以上である場合、該第２の基地局２００は、該ユーザ端末３００が登録ユーザ端末であるかどうかを判定する（ステップＳ３１０）。
【００４４】
該ユーザ端末３００が登録ユーザ端末であると判定された場合（ステップＳ３１０：ＹＥＳ）、該第２の基地局２００は、呼接続要求を受け付けると判定する（ステップＳ３１２）。
【００４５】
該ユーザ端末３００が登録ユーザ端末でないと判定した場合（ステップＳ３１０：ＮＯ）、該第２の基地局２００は、呼接続要求を受け付けないと判定する（ステップＳ３１４）。
【００４６】
割り当て無線リソース量が第２の無線リソース量閾値未満であると判定した場合（ステップＳ３０８：ＮＯ）、該第２の基地局２００は、該ユーザ端末３００が登録ユーザ端末であるかどうかに関わらず、該ユーザ端末からの呼接続要求を受け付けると判定する（ステップＳ３１６）。
【００４７】
第１の無線リソース量閾値と第２の無線リソース量閾値とに基づいて、呼接続要求を受け付けるかどうかを判定することにより、大量の呼が受け付けられることにより生じる輻輳を回避することができる。さらに、割り当て無線リソース量が、第１の無線リソース量閾値未満、且つ第２の無線リソース量閾値以上である場合には登録ユーザ端末からの呼のみが受け付けられることにより、非登録ユーザ端末からの呼接続を制限できるため、登録ユーザ端末のための無線リソースを確保できる。
【００４８】
＜呼受付判定方法（その３）＞
第２の基地局２００は、登録ユーザ端末に確保されるべき無線リソースと、非登録ユーザ端末に確保されるべき無線リソースとを分けて管理する。該第２の基地局２００は、登録ユーザ端末に確保されるべき無線リソースの閾値（以下、「登録ユーザ無線リソース量閾値」という）を有する。該第２の基地局２００は、非登録ユーザに確保されるべき無線リソースの閾値（以下、「非登録ユーザ無線リソース量閾値」という）を有する。
【００４９】
登録ユーザ無線リソース量閾値は、登録ユーザ端末に対して呼接続要求を受け付けないと判定する場合の無線リソース量であってもよいし、該無線リソース量から所定のマージンを加減算した無線リソース量であってもよい。
【００５０】
非登録ユーザ無線リソース量閾値は、非登録ユーザ端末に対して呼接続要求を受け付けないと判定する場合の無線リソース量であってもよいし、該無線リソース量から所定のマージンを加減算した無線リソース量であってもよい。該非登録ユーザ無線リソース量閾値は、登録ユーザ無線リソース量閾値未満の量であるのが好ましい。
【００５１】
図４は、呼受付判定方法（その３）を示すフローチャートである。
【００５２】
該第２の基地局２００は、ユーザ端末３００から、呼接続要求を受信する（ステップＳ４０２）。
【００５３】
該第２の基地局２００は、該ユーザ端末３００が登録ユーザ端末であるかどうかを判定する（ステップＳ４０４）。
【００５４】
該ユーザ端末３００が登録ユーザ端末であると判定した場合（ステップＳ４０４：ＹＥＳ）、該第２の基地局２００は、割り当て無線リソース量が登録ユーザ無線リソース量閾値以上であるかどうかを判定する（ステップＳ４０６）。
【００５５】
割り当て無線リソース量が登録ユーザ無線リソース量閾値以上であると判定した場合（ステップＳ４０６：ＹＥＳ）、該第２の基地局２００は、該ユーザ端末３００からの呼接続要求を受け付けないと判定する（ステップＳ４０８）。
【００５６】
割り当て無線リソース量が登録ユーザ無線リソース量閾値未満であると判定した場合（ステップＳ４０６：ＮＯ）、該第２の基地局２００は、該ユーザ端末３００からの呼接続要求を受け付けると判定する（ステップＳ４１０）。
【００５７】
該ユーザ端末３００が非登録ユーザ端末であると判定した場合（ステップＳ４０４：ＮＯ）、該第２の基地局２００は、割り当て無線リソース量が非登録ユーザ無線リソース量閾値以上であるかどうかを判定する（ステップＳ４１２）。
【００５８】
割り当て無線リソース量が非登録ユーザ無線リソース量閾値以上であると判定した場合（ステップＳ４１２：ＹＥＳ）、該第２の基地局２００は、該ユーザ端末３００からの呼接続要求を受け付けないと判定する（ステップＳ４１４）。
【００５９】
割り当て無線リソース量が非登録ユーザ無線リソース量閾値未満であると判定した場合（ステップＳ４１２：ＮＯ）、該第２の基地局２００は、該ユーザ端末３００からの呼接続要求を受け付けると判定する（ステップＳ４１６）。
【００６０】
第２の基地局２００は、呼接続要求を受け付けないと判定したユーザ端末を他の基地局に接続するように促す。ユーザ端末を他の基地局に接続するように促すことは、リダイレクションと言及されてもよい。他の基地局には、当該第２の基地局２００によりカバーされるセルをカバーするマクロセルをカバーする第１の基地局１００であるのが好ましい。接続できる可能性が高くなるためである。当該第２の基地局２００の近傍のエリアをカバーする他の第２の基地局であってもよい。例えば、フェムト基地局、ピコ基地局であってもよい。
＜第２の基地局の詳細＞
図５は、本実施例に従った第２の基地局２００を示す。
【００６１】
本第２の基地局２００は、下りリンク信号受信部２０２を有する。該下りリンク信号受信部２０２は、上位の装置、例えば、MMEからの下りリンクの信号を受信する。該下りリンクの信号には、Initial Context Setup Request（回線設定命令信号）と、UE Context Release Command（回線解放命令信号）とが含まれる。下りリンク信号受信部２０２は、受信した下りリンクの信号を制御部２０６に入力する。
【００６２】
本第２の基地局２００は、上りリンク信号受信部２１４を有する。該上りリンク信号受信部２１４は、ユーザ端末３００により送信された無線信号を受信する。該無線信号には、ユーザ端末３００により送信された「初回接続要求信号」が含まれる。該「初回接続要求信号」は、「ランダムアクセスチャネルプリアンブル(RACH(Random Access Channel) Preamble)」とも呼ばれる。上りリンク信号受信部２１４は、受信した上りリンクの信号を制御部２０６に入力する。
【００６３】
本第２の基地局２００は、管理部２１０を有する。該管理部２１０は、制御部２０６と接続される。該管理部２１０は、ユーザ端末３００からの呼接続要求を受け付けるための設定情報を管理する。該設定情報には、呼受付判定方法（その１）が適用される場合には、無線リソース量閾値が含まれる。該設定情報には、呼受付判定方法（その２）が適用される場合には、第１の無線リソース量閾値、第２の無線リソース量閾値が含まれる。該設定情報には、呼受付判定方法（その３）が適用される場合には、登録ユーザ無線リソース量閾値、非登録ユーザ無線リソース量閾値が含まれる。
【００６４】
本第２の基地局２００は、制御部２０６を有する。制御部２０６は、下りリンク信号受信部２０２と、上りリンク信号受信部２１４と、管理部２１０と接続される。
【００６５】
図６は、制御部２０６の機能を示す。
【００６６】
制御部２０６は、ユーザ端末判定部２０６２を有する。該ユーザ端末判定部２０６２には、上りリンク信号受信部２１４から、ユーザ端末３００により送信された接続要求信号が入力される。該ユーザ端末判定部２０６２は、該接続要求信号に基づいて、該ユーザ端末３００が、登録ユーザ端末であるかどうかを判定する。ユーザ端末判定部２０６２は、登録ユーザ端末の識別子を格納していてもよい。ユーザ端末判定部２０６２は、接続要求信号を送信したユーザ端末３００の識別子が、該ユーザ端末判定部２０６２に格納された登録ユーザ端末の識別子に含まれるかどうかを判定する。該ユーザ端末判定部２０６２は、登録ユーザ端末の識別子に含まれる場合には登録ユーザ端末であると判定し、含まれない場合には非登録ユーザ端末であると判定する。ユーザ端末判定部２０６２は、呼接続受付判定部２０６４に、接続要求信号を送信したユーザ端末３００が登録ユーザ端末であるかどうかを表す情報を入力する。
【００６７】
制御部２０６は、呼接続受付判定部２０６４を有する。該呼接続受付判定部２０６４は、ユーザ端末判定部２０６２と接続される。呼接続受付判定部２０６４には、割り当て無線リソース量を表す情報が入力される。
【００６８】
呼接続受付判定部２０６４は、上述した呼受付判定方法（その１）に従って、管理部２１０に格納されるべき無線リソース量閾値と、割り当て無線リソース量とに基づいて、ユーザ端末３００からの呼接続要求を受け付けるかどうかを判定する。
【００６９】
呼接続受付判定部２０６４は、上述した呼受付判定方法（その２）に従って、ユーザ端末判定部２０６２により入力されるべき接続要求信号を送信したユーザ端末が登録ユーザ端末であるかどうかを表す情報と、管理部２１０に格納されるべき第１の無線リソース量閾値、及び第２の無線リソース量閾値と、割り当て無線リソース量とに基づいて、ユーザ端末３００からの呼接続要求を受け付けるかどうかを判定するようにしてもよい。
【００７０】
呼接続受付判定部２０６４は、上述した呼受付判定方法（その３）に従って、ユーザ端末判定部２０６２により入力されるべき接続要求信号を送信したユーザ端末が登録ユーザ端末であるどうかを表す情報と、管理部２１０に格納されるべき登録ユーザ無線リソース量閾値、及び非登録ユーザ無線リソース量閾値と、割り当て無線リソース量とに基づいて、ユーザ端末３００からの呼接続要求を受け付けるかどうかを判定するようにしてもよい。呼接続受付判定部２０６４は、リダイレクション判定部２０６６に、ユーザ端末３００からの呼接続要求を受け付けるかどうかを表す情報を入力する。
【００７１】
制御部２０６は、リダイレクション判定部２０６６を有する。該リダイレクション判定部２０６６は、呼接続受付判定部２０６４と接続される。該リダイレクション判定部２０６６には、呼接続受付判定部２０６４から、ユーザ端末３００からの呼接続要求を受け付けるかどうかを表す情報が入力される。リダイレクション判定部２０６６は、呼接続受付判定部２０６４から入力された情報がユーザ端末３００からの呼接続要求を受け付けることを表す情報である場合には、該ユーザ端末３００に対してリダイレクションを行わないと判定する。この場合、第２の基地局２００は、該ユーザ端末３００との間の接続処理を続行する。例えば、第２に基地局２００は、該ユーザ端末３００に、Security Mode Command（秘匿認証指示信号）、RRC Connection Reconfiguration（回線設定・測定指示信号）を送信するようにしてもよい。そして、第２に基地局２００は、該ユーザ端末３００から、Security Mode Complete（秘匿認証指示応答信号）、RRC Connection Reconfiguration Complete（回線設定・測定指示応答信号）を受信するようにしてもよい。そして、第２の基地局２００は、Initial Context Setup Response（回線設定応答信号）を送信するようにしてもよい。
【００７２】
リダイレクション判定部２０６６は、呼接続受付判定部２０６４から入力された情報がユーザ端末３００からの呼接続要求を受け付けないことを表す情報である場合には、該ユーザ端末３００に対してリダイレクションを行うと判定する。リダイレクション判定部２０６６は、該ユーザ端末３００をリダイレクションさせるべき他の基地局を選択する。該他の基地局は、当該第２の基地局２００によりカバーされるセルをカバーするマクロ基地局にすることが好ましい。当該第２の基地局２００によりカバーされるセルをカバーするマクロ基地局にリダイレクションさせることにより、該ユーザ端末が接続できる確率を向上させることができる。リダイレクション判定部２０６６は、指示部２０８に、リダイレクションさせるべき基地局を表す情報を入力する。また、該他の基地局は、当該第２の基地局２００によりカバーされるセルの少なくとも一部をカバーするマクロ基地局にしてもよい。また、該他の基地局は、当該第２の基地局２００の近傍のエリアをカバーする他の第２の基地局であってもよい。例えば、フェムト基地局、ピコ基地局でもよい。
【００７３】
本第２の基地局２００は、指示部２０８を有する。該指示部２０８は、制御部２０６と接続される。該指示部２０８は、制御部２０６により接続処理を続行すると判定された際に、所定の信号を送信するように指示を行う。該指示部２０８は、制御部２０６から入力されるべきリダイレクションさせるべき基地局を表す情報に従って、接続要求を行ったユーザ端末３００に、リダイレクションすべき基地局を表す情報を通知するための指示を行う。例えば、該基地局を表す情報は、RRC Connection Release（回線解放命令信号）に含まれるようにしてもよい。具体的には、RRC Connection Releaseに、リダイレクションすべき基地局によりサポートされる周波数帯を表す情報を含めてもよい。例えば、「cause」に含めるようにしてもよい。指示部２０８は、下りリンク信号送信部２１２に、該RRC Connection Releaseを入力する。
【００７４】
本第２の基地局２００は、下りリンク信号送信部２１２を有する。該下りリンク信号送信部２１２は、指示部２０８と接続される。該下りリンク信号送信部２１２は、アンテナから、指示部２０８により入力されるべきRRC Connection Releaseを無線送信する。
【００７５】
本第２の基地局２００は、上りリンク信号送信部２０４を有する。該上りリンク信号送信部２０４は、指示部２０８と接続される。該上りリンク信号送信部２０４は、MMEに、指示部２０８により入力されるべき上りリンクの信号を送信する。該上りリンクの信号には、Initial UE Message（回線設定要求信号）と、UE Context Release Request（回線解放要求信号）とが含まれる。
【００７６】
＜ユーザ端末＞
本ユーザ端末３００は、接続処理部３０２を有する。該接続処理部３０２は、第２の基地局２００との間で接続処理を行う。該接続処理部３０２は、第２の基地局２００により指定された他の基地局にリダイレクションを行う。
【００７７】
＜本システムの動作＞
図７は、本システムの動作を示すシーケンスチャートである。
【００７８】
ユーザ端末３００と、第２の基地局２００との間で、RRC Connection 設定が実行される（ステップＳ７０２）。
【００７９】
第２の基地局２００は、MMEに、該ユーザ端末３００との間の回線設定を要求するために、Initial UE Message（回線設定要求信号）を送信する（ステップＳ７０４）。例えば、制御部２０６による命令に従って、指示部２０８はInitial UE Messageを作成する。該指示部２０８は、上りリンク信号送信部２０４に、該Initial UE MessageをMMEに送信するように命令する。上りリンク信号送信部２０４は、指示部２０８による命令に従って、MMEに、該指示部２０８により入力されたInitial UE Messageを送信する。
【００８０】
MMEは、該ユーザ端末３００との間の回線設定を行い、第２の基地局２００に、回線設定を命令するためのInitial Context Setup Request（回線設定命令信号）を送信する（ステップＳ７０６）。
【００８１】
第２の基地局２００は、無線リソースが不足することを検出する（ステップＳ７０８）。
【００８２】
例えば、呼接続受付判定部２０６４は、上述した呼受付判定方法（その１）に従って、割り当て無線リソース量が無線リソース量閾値以上である場合に、無線リソースが不足すると判定する。
【００８３】
また、例えば、呼接続受付判定部２０６４は、上述した呼受付判定方法（その２）に従って、接続要求信号を送信したユーザ端末が登録ユーザ端末である場合には、割り当て無線リソース量が第１の無線リソース量閾値以上である場合に無線リソースが不足すると判定する。該呼接続受付判定部２０６４は、接続要求信号を送信したユーザ端末が登録ユーザ端末でない場合には、割り当て無線リソース量が第２の無線リソース量閾値以上である場合に無線リソースが不足すると判定する。
【００８４】
また、例えば、呼接続受付判定部２０６４は、上述した呼受付判定方法（その３）に従って、接続要求信号を送信したユーザ端末が登録ユーザ端末である場合には、割り当て無線リソース量が登録ユーザ端末無線リソース量閾値以上である場合に無線リソースが不足すると判定する。該呼接続受付判定部２０６４は、接続要求信号を送信したユーザ端末が登録ユーザ端末でない場合には、割り当て無線リソース量が非登録ユーザ端末無線リソース量閾値以上である場合に無線リソースが不足すると判定する。
【００８５】
第２の基地局２００は、呼接続を受け付けるかどうかを判定する（ステップＳ７１８）。例えば、呼接続受付判定部２０６４は、呼接続を受け付けるかどうかを判定する。呼接続を受け付けると判定した場合、接続処理を続行する。
【００８６】
呼接続を受け付けることができないと判定された場合、第２の基地局２００は、MMEに、該ユーザ端末３００との間の回線の解放を要求するために、UE Context Release Request（回線解放要求信号）を送信する（ステップＳ７１２）。
【００８７】
MMEは、該ユーザ端末３００との間の回線解放を行い、第２の基地局２００に、回線解放を命令するためのUE Context Release Command（回線解放命令信号）を送信する（ステップＳ７１４）。
【００８８】
第２の基地局２００は、ユーザ端末３００に、回線解放を命令するためのRRC Connection Release（回線解放命令信号）を無線送信する（ステップＳ７１６）。例えば、リダイレクション判定部２０６６は、指示部２０８に、リダイレクションすべき基地局を表す情報を入力する。指示部２０８は、RRC Connection Releaseを作成する際に、リダイレクションすべき基地局を表す情報を含める。指示部２０８は、下りリンク信号送信部２１２に、該RRC Connection Releaseを入力する。下りリンク信号送信部２１２は、ユーザ端末３００に、該RRC Connection Releaseを無線送信する。
【００８９】
ユーザ端末３００は、第２の基地局２００からのRRC Connection Releaseに含まれるリダイレクションすべき他の基地局を表す情報に従って、該他の基地局との間で、RRC Connection設定を行う（ステップＳ７１８）。
【００９０】
本実施例において、第１の基地局が、第２の基地局に、ユーザ端末３００をハンドオーバさせると判定した際にも上述した処理と同様の処理が行われてもよい。例えば、ユーザ端末３００から初回接続要求を受信した第２の基地局は、当該第２の基地局の割り当て無線リソース量に基づいて、実際に、該ユーザ端末３００をハンドオーバさせるかどうかを判定してもよい。
【００９１】
本実施例によれば、登録されているユーザ端末、及び登録されていないユーザ端末に対して接続可能に設定されている場合に、登録されているユーザ端末に対して、無線リソースを確保することができる。無線リソースが確保されるため、登録されているユーザ端末におけるスループットを向上させることができる。また、登録されているユーザ端末との間の接続が成功する確率を向上させることができる。また、登録されているユーザ端末に対して、ハンドオーバが成功する確率を向上させることができる。
【００９２】
本実施例によれば、無線リソースが確保される限り、登録されていないユーザ端末に対してもスループットの向上が期待できる。さらに、無線リソースが確保できない場合には、マクロ基地局に、接続要求するユーザ端末をリダイレクションさせるなど柔軟な制御が可能となる。
【００９３】
＜変形例＞
＜システム＞
本変形例に従った基地局が適用される環境は、図１を参照して説明した環境と同様である。
【００９４】
＜第１の基地局＞
第１の基地局１００は、上述した実施例に従った第１の基地局と同様である。
【００９５】
＜第２の基地局＞
第２の基地局２００は、上述した実施例に従った第２の基地局と、ユーザ端末３００からの呼接続要求を受け付けるかどうかを判定する際の判定方法が異なる。
【００９６】
該第２の基地局２００は、当該第２の基地局２００とRRC Connected状態であるユーザ端末の数（以下、「接続ユーザ端末数」という」に応じて、呼接続要求を行うユーザ端末３００に対して、呼接続要求を受け付けるかどうかを判定する。換言すれば、割り当て無線リソース量を表す指標として接続ユーザ端末数が利用される。ここで、接続ユーザ端末数に含まれるユーザ端末は、非登録ユーザ端末であってもよいし、非登録ユーザ端末及び登録ユーザ端末であってもよい。
【００９７】
＜呼受付判定方法（その４）＞
第２の基地局２００は、２つの接続ユーザ端末数の閾値（以下、「第１の接続ユーザ端末数閾値」、「第２の接続ユーザ端末数閾値」という）を有する。第１の接続ユーザ端末数閾値は、呼接続要求を受け付けないと判定する場合の接続ユーザ端末数であってもよいし、該接続ユーザ端末数から所定のマージンを加減算した値であってもよい。
【００９８】
第２の接続ユーザ端末数閾値は、非登録ユーザ端末からの呼接続要求を受け付けないと判定するための接続ユーザ端末数である。該第２の接続ユーザ端末数閾値は、第１の接続ユーザ端末数閾値未満の値であるのが好ましい。
【００９９】
図８は、呼受付判定方法（その４）を示すフローチャートである。
【０１００】
該第２の基地局２００は、ユーザ端末３００から、呼接続要求を受信する（ステップＳ８０２）。
【０１０１】
該第２の基地局２００は、接続ユーザ端末数が、第１の接続ユーザ端末数閾値以上であるかどうかを判定する（ステップＳ８０４）。
【０１０２】
接続ユーザ端末数が第１の接続ユーザ端末数閾値以上である場合（ステップＳ８０４：ＹＥＳ）、該第２の基地局２００は、該ユーザ端末３００が登録ユーザ端末であるかどうかに関わらず、該ユーザ端末３００からの呼接続要求を受け付けないと判定する（ステップＳ８０６）。
【０１０３】
接続ユーザ端末数が第１の接続ユーザ端末数閾値未満である場合（ステップＳ８０４：ＮＯ）、該第２の基地局２００は、接続ユーザ端末数が、第２の接続ユーザ端末数閾値以上であるかどうかを判定する（ステップＳ８０８）。
【０１０４】
接続ユーザ端末数が第２の接続ユーザ端末数閾値以上である場合（ステップＳ８０８：ＹＥＳ）、換言すれば、接続ユーザ端末数が、第１の接続ユーザ端末数閾値未満であり、且つ第２の接続ユーザ端末数閾値以上である場合、該第２の基地局２００は、該ユーザ端末３００が登録ユーザ端末であるかどうかを判定する（ステップＳ８１０）。
【０１０５】
該ユーザ端末３００が登録ユーザ端末であると判定された場合（ステップＳ８１０：ＹＥＳ）、該第２の基地局２００は、呼接続要求を受け付けると判定する（ステップＳ８１２）。
【０１０６】
該ユーザ端末３００が登録ユーザ端末でないと判定した場合（ステップＳ８１０：ＮＯ）、該第２の基地局２００は、呼接続要求を受け付けないと判定する（ステップＳ８１４）。
【０１０７】
接続ユーザ端末数が第２の接続ユーザ端末数閾値未満であると判定した場合（ステップＳ８０８：ＮＯ）、該第２の基地局２００は、該ユーザ端末３００が登録ユーザ端末であるかどうかに関わらず、該ユーザ端末からの呼接続要求を受け付けると判定する（ステップＳ８１６）。
【０１０８】
第１の接続ユーザ端末数閾値と第２の接続ユーザ端末数閾値とに基づいて、呼接続要求を受け付けるかどうかを判定することにより、大量の呼が受け付けられることにより生じる輻輳を回避することができる。さらに、接続ユーザ端末数が、第１の接続ユーザ端末数閾値未満、且つ第２の接続ユーザ端末数閾値以上である場合には登録ユーザ端末からの呼のみが受け付けられることにより、非登録ユーザ端末の呼接続を制限できるため、登録ユーザ端末のための無線リソースを確保できる。
【０１０９】
＜呼受付判定方法（その５）＞
第２の基地局２００は、登録ユーザ端末に確保されるべき接続ユーザ端末数と、非登録ユーザ端末に確保されるべき接続ユーザ端末数とを分けて管理する。該第２の基地局２００は、登録ユーザ端末に確保されるべき接続ユーザ端末数の閾値（以下、「登録ユーザ端末数閾値」という）を有する。該第２の基地局２００は、非登録ユーザに確保されるべき接続ユーザ端末数の閾値（以下、「非登録ユーザ端末数閾値」という）を有する。
【０１１０】
登録ユーザ端末数閾値は、登録ユーザ端末に対して、呼接続要求を受け付けないと判定する場合の接続ユーザ端末数であってもよいし、該接続ユーザ端末数から所定のマージンを加減算した値であってもよい。
【０１１１】
非登録ユーザ端末数閾値は、非登録ユーザ端末に対して、呼接続要求を受け付けないと判定する場合の接続ユーザ端末数であってもよいし、該接続ユーザ端末数から所定のマージンを加減算した量であってもよい。該非登録ユーザ端末数閾値は、登録ユーザ端末数閾値未満の値であるのが好ましい。
【０１１２】
図９は、呼受付判定方法（その５）を示すフローチャートである。
【０１１３】
該第２の基地局２００は、ユーザ端末３００から、呼接続要求を受信する（ステップＳ９０２）。
【０１１４】
該第２の基地局２００は、該ユーザ端末３００が登録ユーザ端末であるかどうかを判定する（ステップＳ９０４）。
【０１１５】
該ユーザ端末３００が登録ユーザ端末であると判定した場合（ステップＳ９０４：ＹＥＳ）、該第２の基地局２００は、接続ユーザ端末数が登録ユーザ端末数閾値以上であるかどうかを判定する（ステップＳ９０６）。
【０１１６】
接続ユーザ端末数が登録ユーザ端末数閾値以上であると判定した場合（ステップＳ９０６：ＹＥＳ）、該第２の基地局２００は、該ユーザ端末３００からの呼接続要求を受け付けないと判定する（ステップＳ９０８）。
【０１１７】
接続ユーザ端末数が登録ユーザ端末数閾値未満であると判定した場合（ステップＳ９０６：ＮＯ）、該第２の基地局２００は、該ユーザ端末３００からの呼接続要求を受け付けると判定する（ステップＳ９１０）。
【０１１８】
該ユーザ端末３００が非登録ユーザ端末であると判定した場合（ステップＳ９０４：ＮＯ）、該第２の基地局２００は、接続ユーザ端末数が登録ユーザ端末数閾値以上であるかどうかを判定する（ステップＳ９１２）。
【０１１９】
接続ユーザ端末数が登録ユーザ端末数閾値以上であると判定した場合（ステップＳ９１２：ＹＥＳ）、該第２の基地局２００は、該ユーザ端末３００からの呼接続要求を受け付けないと判定する（ステップＳ９１４）。
【０１２０】
接続ユーザ端末数が登録ユーザ端末数閾値未満であると判定した場合（ステップＳ９１２：ＮＯ）、該第２の基地局２００は、該ユーザ端末３００からの呼接続要求を受け付けると判定する（ステップＳ９１６）。
【０１２１】
第２の基地局２００は、呼接続要求を受け付けないと判定したユーザ端末を、他の基地局に接続するように促すリダイレクションを行う。他の基地局には、当該第２の基地局２００によりカバーされるセルをカバーするマクロセルをカバーする第１の基地局１００であるのが好ましい。接続できる可能性が高くなるためである。当該第２の基地局２００の近傍のエリアをカバーする他の第２の基地局であってもよい。例えば、フェムト基地局、ピコ基地局であってもよい。
【０１２２】
本第２の基地局２００は、図５を参照して説明した第２の基地局と同様の機能ブロックにより説明される。図５を参照して説明した第２の基地局と、管理部２１０に格納される情報と、制御部２０６の処理が異なる。
【０１２３】
管理部２１０は、ユーザ端末３００からの呼接続要求を受け付けるための設定情報を管理する。該設定情報には、呼受付判定方法（その１）が適用される場合には、第１の接続ユーザ端末数閾値と、第２の接続ユーザ端末数閾値とが含まれる。該設定情報には、呼受付判定方法（その２）が適用される場合には、登録ユーザ端末数閾値と、非登録ユーザ端末数閾値とが含まれる。
【０１２４】
図１０は、制御部２０６の機能を示す。
【０１２５】
制御部２０６は、ユーザ端末判定部２０６２を有する。該ユーザ端末判定部２０６２には、上りリンク信号受信部２１４から、ユーザ端末３００により送信された接続要求信号が入力される。該ユーザ端末判定部２０６２は、該接続要求信号に基づいて、該ユーザ端末３００が、登録ユーザ端末であるかどうかを判定する。ユーザ端末判定部２０６２は、登録ユーザ端末の識別子を格納していてもよい。ユーザ端末判定部２０６２は、接続要求信号を送信したユーザ端末３００の識別子が、該ユーザ端末判定部２０６２に格納された登録ユーザ端末の識別子に含まれるかどうかを判定する。該ユーザ端末判定部２０６２は、登録ユーザ端末の識別子に含まれる場合には登録ユーザ端末であると判定し、含まれない場合には非登録ユーザ端末であると判定する。ユーザ端末判定部２０６２は、呼接続受付判定部２０６４に、接続要求信号を送信したユーザ端末が登録ユーザ端末であるかどうかを表す情報を入力する。
【０１２６】
制御部２０６は、呼接続受付判定部２０６４を有する。該呼接続受付判定部２０６４は、ユーザ端末判定部２０６２と接続される。呼接続受付判定部２０６４には、接続ユーザ端末数を表す情報が入力される。
【０１２７】
呼接続受付判定部２０６４は、上述した呼受付判定方法（その４）に従って、管理部２１０に格納されるべき第１の接続ユーザ端末数閾値、及び第２の接続ユーザ端末数閾値と、接続ユーザ端末数とに基づいて、ユーザ端末３００からの呼接続要求を受け付けるかどうかを判定する。
【０１２８】
呼接続受付判定部２０６４は、上述した呼受付判定方法（その５）に従って、ユーザ端末判定部２０６２により入力されるべき接続要求信号を送信したユーザ端末が登録ユーザ端末であるかどうかを表す情報と、管理部２１０に格納されるべき登録ユーザ端末数閾値、及び非登録ユーザ端末数閾値と、接続ユーザ端末数とに基づいて、ユーザ端末からの呼接続要求を受け付けるかどうかを判定するようにしてもよい。
【０１２９】
呼接続受付判定部２０６４は、リダイレクション判定部２０６６に、ユーザ端末３００からの呼接続要求を受け付けるかどうかを表す情報を入力する。
【０１３０】
制御部２０６は、リダイレクション判定部２０６６を有する。該リダイレクション判定部２０６６は、呼接続受付判定部２０６４と接続される。該リダイレクション判定部２０６６には、呼接続受付判定部２０６４から、ユーザ端末３００からの呼接続要求を受け付けるかどうかを表す情報が入力される。リダイレクション判定部２０６６は、呼接続受付判定部２０６４から入力された情報がユーザ端末３００からの呼接続要求を受け付けることを表す情報である場合には、該ユーザ端末３００に対してリダイレクションを行わないと判定する。この場合、第２の基地局２００は、該ユーザ端末３００との間の接続処理を続行する。
【０１３１】
リダイレクション判定部２０６６は、呼接続受付判定部２０６４から入力された情報がユーザ端末３００からの呼接続要求を受け付けないことを表す情報である場合には、該ユーザ端末３００に対してリダイレクションを行うと判定する。リダイレクション判定部２０６６は、該ユーザ端末３００をリダイレクションさせるべき他の基地局を選択する。該他の基地局は、当該第２の基地局２００によりカバーされるセルをカバーするマクロ基地局にすることが好ましい。当該第２の基地局２００によりカバーされるセルをカバーするマクロ基地局に、リダイレクションさせることにより、該ユーザ端末３００が接続できる確率を向上させることができる。リダイレクション判定部２０６６は、指示部２０８に、リダイレクションさせるべき基地局を表す情報を入力する。また、該他の基地局は、当該第２の基地局２００によりカバーされるセルの少なくとも一部をカバーするマクロ基地局にしてもよい。また、該他の基地局は、当該第２の基地局２００の近傍のエリアをカバーする他の第２の基地局であってもよい。例えば、フェムト基地局、ピコ基地局でもよい。
【０１３２】
＜ユーザ端末＞
本ユーザ端末３００は、上述した実施例と同様である。
【０１３３】
＜本システムの動作＞
本システムの動作は、図７を参照して説明したシーケンスチャートと、ステップＳ７０８の処理、及びステップＳ７１０が異なる。
【０１３４】
＜呼受付判定方法（その４）が適用される場合＞
ステップＳ７０８では、第２の基地局２００は、接続ユーザ端末数が、第１の接続ユーザ端末数閾値以上であるかどうかを判定する。該第２の基地局２００は、接続ユーザ端末数が、第１の接続ユーザ端末数閾値以上である場合、無線リソースが不足すると判定する。
【０１３５】
該第２の基地局２００は、接続ユーザ端末数が第１の接続ユーザ端末数閾値未満である場合、接続ユーザ端末数が、第２の接続ユーザ端末数閾値以上であるかどうかを判定する。
【０１３６】
該第２の基地局２００は、接続ユーザ端末数が第１の接続ユーザ端末数閾値未満であり、且つ第２の接続ユーザ端末数閾値以上である場合には、無線リソースがやや不足すると判定する。
【０１３７】
該第２の基地局２００は、接続ユーザ端末数が、第２の接続ユーザ端末数閾値未満である場合には、無線リソースが不足しないと判定する。
【０１３８】
ステップＳ７１０では、該第２の基地局２００は、ステップＳ７０８により無線リソースが不足すると判定した場合、該ユーザ端末３００からの呼接続要求を受け付けないと判定する。
【０１３９】
該第２の基地局２００は、ステップＳ７０８により無線リソースがやや不足すると判定した場合、該ユーザ端末３００が登録ユーザ端末である場合には、呼接続要求を受け付けると判定し、該ユーザ端末３００が非登録ユーザ端末である場合には、呼接続要求を受け付けないと判定する。
【０１４０】
該第２の基地局２００は、ステップＳ７０８により無線リソースが不足しないと判定した場合、該ユーザ端末３００が登録ユーザ端末であるかどうかに関わらす、該ユーザ端末からの呼接続要求を受け付けると判定する。
【０１４１】
＜呼受付判定方法（その５）が適用される場合＞
ステップＳ７０８では、第２の基地局２００は、呼接続要求を行ったユーザ端末３００が登録ユーザ端末である場合、接続ユーザ端末数が登録ユーザ端末数閾値以上であるかどうかを判定する。該第２の基地局２００は、接続ユーザ端末数が登録ユーザ端末数閾値以上である場合、無線リソースが不足すると判定する。該第２の基地局２００は、接続ユーザ端末数が、接続ユーザ端末数閾値未満である場合には、無線リソースが不足しないと判定する。
【０１４２】
該第２の基地局２００は、呼接続要求を行ったユーザ端末３００が非登録ユーザ端末である場合、接続ユーザ端末数が非登録ユーザ端末数閾値以上であるかどうかを判定する。
【０１４３】
該第２の基地局２００は、接続ユーザ端末数が非登録ユーザ端末数閾値以上である場合、無線リソースが不足すると判定する。
【０１４４】
該第２の基地局２００は、接続ユーザ端末数が非登録ユーザ端末数閾値未満である場合には、無線リソースが不足しないと判定する。
【０１４５】
ステップＳ７１０では、該第２の基地局２００は、ステップＳ７０８により無線リソースが不足すると判定した場合、該ユーザ端末３００からの呼接続要求を受け付けないと判定する。
【０１４６】
該第２の基地局２００は、ステップＳ７０８により無線リソースが不足しないと判定した場合、該ユーザ端末３００からの呼接続要求を受け付けると判定する。
【０１４７】
本変形例において、第１の基地局から第２の基地局に、ユーザ端末をハンドオーバさせる際に、該第２の基地局の接続ユーザ端末数に基づいて、ハンドオーバさせるかどうかが判定されてもよい。例えば、ユーザ端末３００からの初回接続要求信号を受信した際に、該第２の基地局の接続ユーザ端末数に基づいて、ハンドオーバさせるかどうかを判定する。
【０１４８】
本変形例によれば、登録されているユーザ端末、及び登録されていないユーザ端末に対して接続可能に設定されている場合に、登録されているユーザ端末に対して、無線リソースを確保することができる。無線リソースを確保できるかどうかを判定する際の指標として、接続ユーザ端末数が使用される。無線リソースが確保されるため、登録されているユーザ端末におけるスループットを向上させることができる。また、登録されているユーザ端末との間の接続が成功する確率を向上させることができる。また、登録されているユーザ端末に対して、ハンドオーバが成功する確率を向上させることができる。
【０１４９】
本変形例によれば、登録されていないユーザ端末に対しても、無線リソースが確保される限り、スループットの向上が期待できる。さらに、無線リソースが確保できない場合には、マクロ基地局に、新規に接続するユーザ端末をリダイレクションさせるなど柔軟な制御が可能となる。
【０１５０】
＜第２の実施例＞
＜システム＞
本実施例に従った基地局が適用される環境は、図１を参照して説明した環境と同様である。
【０１５１】
＜第１の基地局＞
第１の基地局１００は、上述した実施例に従った第１の基地局と同様である。
【０１５２】
＜第２の基地局＞
第２の基地局２００は、ハイブリッドセルを運用する。ハイブリッドセルでは、該ハイブリッドセルにアクセス権のあるユーザグループに加え、該ハイブリッドセルにアクセス権のないユーザグループにもアクセス権が与えられる。すなわち、ハイブリッドセルでは、登録ユーザ端末と、非登録ユーザ端末とが混在する。
【０１５３】
該第２の基地局２００は、当該第２の基地局２００の割り当てリソース量に応じて、接続中のユーザ端末３００に対して呼切断を実施するかどうかを判定する。ここで、割り当てリソース量には、無線リソースと、接続制御に必要なパラメータ等のリソースとが含まれる。他の要素が含まれてもよい。本実施例では、割り当てリソースの一例として割り当て無線リソース量を適用した場合について主に説明する。割り当て無線リソース量以外のリソースを適用した場合でも同様である。
【０１５４】
該第２の基地局２００は、割り当て無線リソース量に応じて、接続中のユーザ端末３００に対して呼切断を実施するかどうかを判定する。ここで、割り当て無線リソース量とは、接続中のユーザ端末に割り当てた無線リソース量の合計であってもよいし、当該第２の基地局２００が使用することができる無線リソース量から接続中のユーザ端末に割り当てた無線リソース量の合計を減算した残りの無線リソース量であってもよい。割り当て無線リソース量をどのような量にするかは適宜設定可能である。本実施例では、一例として、接続中のユーザ端末に割り当てた無線リソース量の合計である場合について説明する。
【０１５５】
無線リソースには、CQIリソース使用率、スケジューリングリクエストリソース使用率、サウンディングリファレンスシグナルリソース使用率、ベースバンド使用率、送信電力等が含まれる。
【０１５６】
無線リソース以外のリソースには、CPU使用率、伝送路使用率が含まれる。
【０１５７】
第２の基地局２００には、無線リソース量の閾値（以下、「無線リソース量閾値」という）が設定される。ここで、無線リソース量閾値は、非登録ユーザ端末との間の呼を切断すると判定する無線リソース量であってもよいし、該無線リソース量から所定のマージンを加減算した無線リソース量であってもよい。
【０１５８】
該第２の基地局２００は、割り当て無線リソース量が、無線リソース量閾値以上であるかどうかを判定する。
【０１５９】
該第２の基地局２００は、割り当て無線リソース量が、無線リソース量閾値以上である場合には、非登録ユーザ端末との間の呼を切断する。該第２の基地局２００は、割り当て無線リソース量が、無線リソース量閾値未満である場合には、非登録ユーザ端末との間の呼を切断しないと判定する。
【０１６０】
無線リソース量閾値に基づいて、非登録ユーザ端末との間の呼を切断するかどうかを判定することにより、無線リソースが確保できない場合には非登録ユーザ端末との間の呼が切断されるため、登録ユーザ端末に対する無線リソースを確保することができる。
【０１６１】
該第２の基地局２００は、非登録ユーザ端末との間の呼を切断する際に、以下の優先順位に従って、切断すべき非登録ユーザ端末を選択する。
【０１６２】
＜非登録ユーザ端末選択方法（その１）＞
第２の基地局２００は、接続時間に基づいて、切断すべき非登録ユーザ端末を選択する。例えば、接続時間の長い順に非登録ユーザ端末を選択するようにしてもよい。接続時間の長い順に非登録ユーザ端末を選択する際に、該非登録ユーザ端末宛のデータが格納されているものは除外して選択するようにしてもよいし、該非登録ユーザ端末宛のデータがあるかどうかに関わらす選択してもよい。
【０１６３】
＜非登録ユーザ端末選択方法（その２）＞
第２の基地局２００は、非登録ユーザ端末に対応するバッファにデータが格納されていない時間が長い順に非登録ユーザ端末を選択するようにしてもよい。例えば、送信すべきデータが存在しない無通信時間が長い非ユーザ端末の順に、呼切断すべきユーザ端末を選択するようにしてもよい。例えば、該第２の基地局２００は、UE inactive timerの経過時間が長い順に非登録ユーザ端末を選択するようにしてもよい。偶然に通信を行っていないためUE inactive timerが起動されている非登録ユーザ端末との間の呼が切断されることを防止するために、経過時間の下限となる閾値が設定されるのが好ましい。この場合、経過時間の下限となる閾値以上となる非登録ユーザ端末の中から、UE inactive timerの経過時間が長い順に非登録ユーザ端末が選択される。コアネットワークと接続されている状態で、該ユーザ端末宛てのデータがない場合には、UE inactive timerが起動される。非登録ユーザ端末に対応するバッファにデータが格納されていない時間が長い非登録ユーザ端末は、バッファにデータが格納されていない時間が短い非登録ユーザ端末と比較して、呼切断を行っても、その影響は小さいと想定される。さらに、上りリンクのデータがない時間が長い順に非登録ユーザ端末を選択するようにしてもよい。
【０１６４】
＜非登録ユーザ端末選択方法（その３）＞
第２の基地局２００は、ユーザ端末に対応するバッファにデータが格納されていない時間の閾値（以下、「データ非格納時間閾値」という）を設定してもよい。データ非格納時間閾値が経過した場合に、呼が解放されるように設定されてもよい。
【０１６５】
該第２の基地局２００は、登録ユーザ端末に対する閾値よりも、非登録ユーザ端末に対する閾値を短い時間に設定することにより、切断すべき非登録ユーザ端末が選択されるようにしてもよい。例えば、該第２の基地局２００は、データ非格納時間閾値を、UE inactive timerに対する閾値としてもよい。コアネットワークと接続されている状態で、該ユーザ端末宛てのデータがない場合には、UE inactive timerが起動される。非登録ユーザ端末に対応するバッファにデータが格納されていない時間がデータ非格納時間閾値以上となる非登録ユーザ端末は、データ非格納時間閾値未満である非登録ユーザ端末と比較して、呼切断を行っても、その影響は小さいと想定される。
【０１６６】
＜非登録ユーザ端末選択方法（その４）＞
第２の基地局２００は、非登録ユーザ端末を無条件で全て呼解放してもよい。
【０１６７】
また、非登録ユーザ端末選択方法（その１）から非登録ユーザ端末選択方法（その４）を適宜組み合わせて切断すべき非登録ユーザ端末が選択されてもよい。例えば、非登録ユーザ端末選択方法（その２）により経過時間の閾値以上となる非登録ユーザ端末の中から、UE inactive timerの経過時間が長い順に非登録ユーザ端末を選択し、呼切断を行った。しかし、無線リソースが不足する場合、非登録ユーザ端末選択方法（その１）に従って、切断すべき非登録ユーザ端末が選択されてもよいし、非登録ユーザ端末選択方法（その４）に従って、非登録ユーザ端末を無条件で全て呼解放してもよい
さらに、本第２の基地局２００は、割り当て無線リソース量に応じて、登録ユーザ端末に割り当てるべき無線リソース量と、非登録ユーザ端末に割り当てるべき無線リソース量との割合を制御するようにしてもよい。
【０１６８】
例えば、割り当て無線リソース量が少ない場合には、予め設定されている割合で、登録ユーザ端末に割り当てるべき無線リソース量と、非登録ユーザ端末に割り当てるべき無線リソース量とが設定される。例えば、登録ユーザ端末に割り当てるべき無線リソース量と、非登録ユーザ端末に割り当てるべき無線リソース量との比を同じ（１：１）に設定してもよい。
【０１６９】
さらに、割り当て無線リソース量が増加した場合には、登録ユーザ端末に割り当てるべき無線リソース量の割合を増加させることにより、登録ユーザ端末を優先するように制御する。例えば、登録ユーザ端末に割り当てるべき無線リソース量と、非登録ユーザ端末に割り当てるべき無線リソース量との比を７:３にしてもよい。
【０１７０】
さらに、割り当て無線リソース量が増加した場合には、登録ユーザ端末に割り当てるべき無線リソース量の割合をさらに増加させることにより、登録ユーザ端末を優先するように制御する。例えば、登録ユーザ端末に割り当てるべき無線リソース量と、非登録ユーザ端末に割り当てるべき無線リソース量との比を８:２にしてもよい。
【０１７１】
割り当て無線リソース量の増加に従って、登録ユーザ端末に割り当てるべき無線リソース量の割合を増加させることにより、接続しているユーザ端末が増加した場合に、登録ユーザ端末のスループットの低下を防止できる。
【０１７２】
本実施例に従った第２の基地局２００は、図５に示される機能ブロック図により説明される。図５を参照して説明した第２の基地局２００とは、制御部２０６の機能と、管理部２１０に格納される情報とが異なる。
【０１７３】
管理部２１０は、ユーザ端末３００からの呼接続要求を受け付けるための設定情報を管理する。該設定情報には、無線リソース量閾値が含まれる。さらに、該設定情報には、非登録ユーザ端末選択方法（その２）が適用される場合の、経過時間の下限となる閾値、非登録ユーザ端末選択方法（その３）が適用される場合の、データ非格納時間閾値が含まれる。
【０１７４】
図１１は、制御部２０６の機能を示す。
【０１７５】
制御部２０６は、無線リソース判定部２０６８を有する。該無線リソース判定部２０６８には、割り当て無線リソース量が入力される。定期的に入力されてもよいし、不定期に入力されてもよい。該無線リソース判定部２０６８は、割り当て無線リソース量が、管理部２１０に格納されるべき無線リソース量閾値以上であるかどうかを判定する。該無線リソース判定部２０６は、割り当て無線リソース量が無線リソース量閾値以上である場合には無線リソースが不足すると判定し、割り当て無線リソース量が無線リソース量閾値未満である場合には無線リソースが不足しないと判定する。無線リソース判定部２０６８は、呼切断ユーザ端末選択部２０７０に、無線リソースが不足するかどうかを表す情報を入力する。
【０１７６】
制御部２０６は、呼切断ユーザ端末選択部２０７０を有する。該呼切断ユーザ端末選択部２０７０は、無線リソース判定部２０６８と接続される。呼切断ユーザ端末選択部２０７０は、無線リソース判定部２０６８により入力されるべき無線リソースが不足するかどうかを表す情報が無線リソースが不足することを表す情報である場合に、呼切断すべきユーザ端末を選択する。例えば、呼切断ユーザ端末選択部２０７０は、非登録ユーザ端末選択方法（その１）に従って切断すべき非登録ユーザ端末を選択するようにしてもよいし、非登録ユーザ端末選択方法（その２）に従って切断すべき非登録ユーザ端末を選択するようにしてもよいし、非登録ユーザ端末選択方法（その３）に従って切断すべき非登録ユーザ端末を選択するようにしてもよい。また、非登録ユーザ端末選択方法（その３）に従って、全ての非登録ユーザ端末を選択してもよい。また、これらを適宜組み合わせて選択するようにしてもよい。呼切断ユーザ端末選択部２０７０は、接続処理部２０７２に、呼切断すべき非登録ユーザ端末を表す情報を入力する。
【０１７７】
制御部２０６は、接続処理部２０７２を有する。接続処理部２０７２は、呼切断ユーザ端末選択部２０７０と接続される。該接続処理部２０７２は、呼切断ユーザ端末選択部２０７０から入力された呼切断すべき非登録ユーザ端末を表す情報に基づいて、該呼切断すべき非登録ユーザ端末との間の呼を切断する処理を行う。例えば、接続処理部２０７２は、指示部２０８に対して、MMEに、UE Context Release Request（回線解放要求信号）を送信するように命令する。さらに、MMEからUE Context Release Request（回線解放要求信号）を受信した後に、接続処理部２０７２は、指示部２０８に対して、呼切断すべき非登録ユーザ端末に、RRC Connection Release（回線解放命令信号）を送信するように命令する。
【０１７８】
制御部２０６は、無線リソース割合設定部２０７４を有する。該無線リソース割合設定部２０７４には、割り当て無線リソース量を表す情報が入力される。該無線リソース割合設定部２０７４は、割り当て無線リソース量に応じて、登録ユーザ端末に割り当てるべき無線リソース量と、非登録ユーザ端末に割り当てるべき無線リソース量との割合を制御する。該無線リソース割合設定部２０７４は、スケジューラ（図示なし）に、登録ユーザ端末に割り当てるべき無線リソース量と、非登録ユーザ端末に割り当てるべき無線リソース量との割合を表す情報を入力する。スケジューラは、無線リソース割合設定部２０７４により入力された情報に基づいて、無線リソースを割り当てるユーザ端末を選択するスケジューリングを行う。
【０１７９】
＜本システムの動作＞
図１２は、本システムの動作を示すシーケンスチャートである。
【０１８０】
図１２に示される例では、ユーザ端末３００が非登録ユーザ端末であり、該非登録ユーザ端末が呼切断すべきユーザ端末として選択される場合について説明する。
【０１８１】
ユーザ端末３００と、第２の基地局２００との間は、RRC Connection 設定がされ、ユーザ端末３００は、アイドル状態からアクティブ状態への状態遷移が実行される（ステップＳ１２０２）。
【０１８２】
第２の基地局２００は、割り当て無線リソース量に応じて、登録ユーザ端末に割り当てるべき無線リソース量と、非登録ユーザ端末に割り当てるべき無線リソース量との割合を制御する。
【０１８３】
第２の基地局２００は、無線リソースが不足することを検出する（ステップＳ１２０４）。例えば、無線リソース判定部２０６８は、割り当て無線リソース量が、無線リソース量閾値以上であるかどうかを判定する。無線リソース判定部２０６８は、割り当て無線リソース量が無線リソース量閾値以上である場合に無線リソースが不足すると判定し、割り当て無線リソース量が無線リソース量閾値未満である場合に無線リソースが不足しないと判定する。
【０１８４】
無線リソースが不足すると判定した場合、呼切断すべき非登録ユーザ端末を選択する（ステップＳ１２０６）。例えば、呼切断ユーザ端末選択部２０７０は、呼切断すべき非登録ユーザ端末を選択する。例えば、＜非登録ユーザ端末選択方法（その１）＞から＜非登録ユーザ端末選択方法（その４）＞のうちのいずれか、又はこれらを適宜組み合わせた方法で選択する。
【０１８５】
第２の基地局２００は、ステップＳ１２０６により選択された非登録ユーザ端末との間の呼を切断するために、MMEに、UE Context Release Request（回線解放要求信号）を送信する（ステップＳ１２０８）。例えば、接続処理部２０７２は、指示部２０８に、UE Context Release Requestを生成するように命令する。指示部２０８は、接続処理部２０７２による命令に従って、UE Context Release Requestを生成し、上りリンク信号送信部２０４に入力する。上りリンク信号送信部２０４は、MMEに、該UE Context Release Requestを送信する。
【０１８６】
MMEは、第２の基地局２００に、UE Context Release Command（回線解放命令信号）を送信する（ステップＳ１２１０）。
【０１８７】
第２の基地局２００は、ユーザ端末３００に、RRC Connection Release（回線解放命令信号）を無線送信する（ステップＳ１２１２）。例えば、接続処理部２０７２は、指示部２０８に、RRC Connection Releaseを生成するように命令する。指示部２０８は、接続処理部２０７２による命令に従って、RRC Connection Releaseを生成し、下りリンク信号送信部２１２に入力する。下りリンク信号送信部２１２は、ユーザ端末３００に、該RRC Connection Releaseを無線送信する。
【０１８８】
本実施例において、第１の基地局が、第２の基地局に、ユーザ端末３００をハンドオーバさせると判定した際にも上述した処理と同様の処理が行われてもよい。例えば、ユーザ端末３００から初回接続要求を受信した第２の基地局は、該ユーザ端末３００が登録されているユーザ端末であるかどうかを判定する。該ユーザ端末３００が登録されているユーザ端末であり、かつ無線リソースが不足すると判定された場合に、接続中の登録されていないユーザ端末の中から切断すべきユーザ端末が選択されてもよい。
【０１８９】
本実施例によれば、登録されているユーザ端末、及び登録されていないユーザ端末に対して使用可能に設定されている場合に、登録されているユーザ端末に対して、無線リソースを確保することができる。無線リソースが確保されるため、登録されているユーザ端末におけるスループットを向上させることができる。また、登録されているユーザ端末との間での接続が成功する確率を向上させることができる。また、登録されているユーザ端末に対して、ハンドオーバが成功する確率を向上させることができる。
【０１９０】
本実施例によれば、登録されていないユーザ端末に対しても、無線リソースが確保される限り、スループットの向上が期待できる。
【０１９１】
＜変形例＞
＜システム＞
本変形例に従った基地局が適用される環境は、図１を参照して説明した環境と同様である。
【０１９２】
＜第１の基地局＞
第１の基地局１００は、上述した実施例に従った第１の基地局と同様である。
【０１９３】
＜第２の基地局＞
第２の基地局２００は、上述した実施例に従った第２の基地局と、ユーザ端末３００からの呼を受け付けるかどうかを判定する際の判定方法が異なる。換言すれば、無線リソースが不足するかどうかを判定する方法が異なる。
【０１９４】
該第２の基地局２００は、当該第２の基地局２００とRRC Connected状態であるユーザ端末の数（以下、「接続ユーザ端末数」という」に応じて、非登録ユーザ端末との間の呼を切断するかどうかを判定する。換言すれば、割り当て無線リソース量を表す指標として接続ユーザ端末数が利用される。ここで、接続ユーザ端末数に含まれるユーザ端末は、非登録ユーザ端末であってもよいし、非登録ユーザ端末、及び登録ユーザ端末であってもよい。
【０１９５】
第２の基地局２００は、接続ユーザ端末数の閾値（以下、「接続ユーザ端末数閾値」という）を有する。接続ユーザ端末数閾値は、非登録ユーザ端末との間の呼を切断すると判定する接続ユーザ端末数であってもよいし、該接続ユーザ端末数から所定のマージンを加減算した接続ユーザ端末数であってもよい。該第２の基地局２００は、接続ユーザ端末数が接続ユーザ端末数閾値以上であるかどうかを判定する。該第２の基地局２００は、接続ユーザ端末数が接続ユーザ端末数閾値以上である場合には、非登録ユーザ端末との間の呼を切断する。該第２の基地局２００は、接続ユーザ端末数が接続ユーザ端末数閾値未満である場合には、非登録ユーザ端末との間の呼を切断しないと判定する。
【０１９６】
接続ユーザ端末数閾値に基づいて、非登録ユーザ端末との間の呼を切断するかどうかを判定することにより、無線リソースが確保できない場合には非登録ユーザ端末との間の呼が切断されるため、登録ユーザ端末に対する無線リソースを確保することができる。
【０１９７】
該第２の基地局２００は、非登録ユーザ端末との間の呼を切断する際に、上述した＜非登録ユーザ端末選択方法（その１）＞から＜非登録ユーザ端末選択方法（その４）＞のいずれか、又はその組み合わせに従って、切断すべき非登録ユーザ端末を選択する。
【０１９８】
さらに、本第２の基地局２００は、接続ユーザ端末数に応じて、登録ユーザ端末に割り当てるべき無線リソース量と、非登録ユーザ端末に割り当てるべき無線リソース量との割合を制御するようにしてもよい。
【０１９９】
例えば、接続ユーザ端末数が少ない場合には、予め設定されている割合で、登録ユーザ端末に割り当てるべき無線リソース量と、非登録ユーザ端末に割り当てるべき無線リソース量とが設定される。例えば、登録ユーザ端末に割り当てるべき無線リソース量と、非登録ユーザ端末に割り当てるべき無線リソース量との比を同じ（１：１）に設定してもよい。
【０２００】
さらに、接続ユーザ端末数が増加した場合には、登録ユーザ端末に割り当てるべき無線リソース量の割合を増加させることにより、登録ユーザ端末を優先するように制御する。例えば、登録ユーザ端末に割り当てるべき無線リソース量と、非登録ユーザ端末に割り当てるべき無線リソース量との比を７:３にしてもよい。
【０２０１】
さらに、接続ユーザ端末数が増加した場合には、登録ユーザ端末に割り当てるべき無線リソース量の割合をさらに増加させることにより、登録ユーザ端末を優先するように制御する。例えば、登録ユーザ端末に割り当てるべき無線リソース量と、非登録ユーザ端末に割り当てるべき無線リソース量との比を８:２にしてもよい。
【０２０２】
接続ユーザ端末数の増加に従って、登録ユーザ端末に割り当てるべき無線リソース量の割合を増加させることにより、接続しているユーザ端末が増加した場合に、登録ユーザ端末のスループットの低下を防止できる。
【０２０３】
本実施例に従った第２の基地局２００は、図５に示される機能ブロック図により説明される。図５を参照して説明した第２の基地局２００とは、制御部２０６の機能と、管理部２１０に格納される情報とが異なる。
【０２０４】
管理部２１０は、ユーザ端末との間で設定されるべき設定情報を管理する。該設定情報には、接続ユーザ端末数閾値が含まれる。さらに、該設定情報には、非登録ユーザ端末選択方法（その２）が適用される場合の、経過時間の下限となる閾値、非登録ユーザ端末選択方法（その３）が適用される場合の、データ非格納時間閾値が含まれる。
【０２０５】
図１３は、制御部２０６の機能を示す。
【０２０６】
制御部２０６は、接続ユーザ端末数判定部２０７６を有する。該接続ユーザ端末数判定部２０７６には、接続ユーザ端末数が入力される。定期的に入力されてもよいし、不定期に入力されてもよい。該接続ユーザ端末数判定部２０７６は、接続ユーザ端末数が、管理部２１０に格納されるべき接続ユーザ端末数閾値以上であるかどうかを判定する。該接続ユーザ端末数判定部２０７６は、接続ユーザ端末数が接続ユーザ端末数閾値以上である場合には無線リソースが不足すると判定し、接続ユーザ端末数が接続ユーザ端末数閾値未満である場合には無線リソースが不足しないと判定する。接続ユーザ端末数判定部２０７６は、呼切断ユーザ端末選択部２０７０に、無線リソースが不足するかどうかを表す情報を入力する。
【０２０７】
呼切断ユーザ端末選択部２０７０は、接続ユーザ端末数判定部２０７６と接続される。呼切断ユーザ端末選択部２０７０は、接続ユーザ端末数判定部２０７６により入力されるべき無線リソースが不足するかどうかを表す情報が無線リソースが不足することを表す情報である場合に、呼切断すべきユーザ端末を選択する。例えば、呼切断ユーザ端末選択部２０７０は、非登録ユーザ端末選択方法（その１）に従って、切断すべき非登録ユーザ端末を選択するようにしてもよいし、非登録ユーザ端末選択方法（その２）に従って、切断すべき非登録ユーザ端末を選択するようにしてもよいし、非登録ユーザ端末選択方法（その３）に従って、切断すべき非登録ユーザ端末を選択するようにしてもよい。また、非登録ユーザ端末選択方法（その４）に従って、切断すべき非登録ユーザ端末を選択するようにしてもよい。また、これらを適宜組み合わせて選択するようにしてもよい。呼切断ユーザ端末選択部２０７０は、接続処理部２０７２に、呼切断すべき非登録ユーザ端末を表す情報を入力する。
【０２０８】
接続処理部２０７２は、呼切断ユーザ端末選択部２０７０から入力された呼切断すべき非登録ユーザ端末を表す情報に基づいて、該呼切断すべき非登録ユーザ端末との間の呼を切断する処理を行う。例えば、接続処理部２０７２は、指示部２０８に対して、MMEに、UE Context Release Requestを送信するように命令する。さらに、MMEからUE Context Release Requestを受信した後に、接続処理部２０７２は、指示部２０８に対して、呼切断すべき非登録ユーザ端末に、RRC Connection Releaseを送信するように命令する。
【０２０９】
無線リソース割合設定部２０７４には、接続ユーザ端末数を表す情報が入力される。該無線リソース割合設定部２０７４は、接続ユーザ端末数に応じて、登録ユーザ端末に割り当てるべき無線リソース量と、非登録ユーザ端末に割り当てるべき無線リソース量との割合を制御する。該無線リソース割合設定部２０７４は、スケジューラ（図示なし）に、登録ユーザ端末に割り当てるべき無線リソース量と、非登録ユーザ端末に割り当てるべき無線リソース量との割合を表す情報を入力する。スケジューラは、無線リソース割合設定部２０７４により入力された情報に基づいて、無線リソースを割り当てるユーザ端末を選択するスケジューリングを行う。
【０２１０】
＜本システムの動作＞
本システムの動作は、図１２を参照して説明したシーケンスチャートと、ステップＳ１２０４の処理が異なる。
【０２１１】
ステップＳ１２０４では、第２の基地局２００は、無線リソースが不足することを検出する。例えば、接続ユーザ数判定部２０７６は、接続ユーザ数が、接続ユーザ数閾値以上であるかどうかを判定する。接続ユーザ数判定部２０６８は、接続ユーザ数が接続ユーザ数閾値以上である場合に無線リソースが不足すると判定し、接続ユーザ数が接続ユーザ数閾値未満である場合に無線リソースが不足しないと判定する。
【０２１２】
本実施例において、第１の基地局が、第２の基地局に、ユーザ端末３００をハンドオーバさせると判定した際にも上述した処理と同様の処理が行われてもよい。例えば、ユーザ端末３００から初回接続要求を受信した第２の基地局は、該ユーザ端末３００が登録されているユーザ端末であるかどうかを判定する。該ユーザ端末３００が登録されているユーザ端末であり、且つ無線リソースが不足すると判定された場合に、接続中の登録されていないユーザ端末の中から切断すべきユーザ端末が選択されてもよい。
【０２１３】
本変形例によれば、登録されているユーザ端末、及び登録されていないユーザ端末に対して使用可能に設定されている場合に、登録されているユーザ端末に対して、無線リソースを確保することができる。無線リソースを確保できるかどうかを判定する際の指標として、接続ユーザ端末数が使用される。無線リソースが確保されるため、登録されているユーザ端末におけるスループットを向上させることができる。また、登録されているユーザ端末との間での接続が成功する確率を向上させることができる。また、登録されているユーザ端末に対して、ハンドオーバが成功する確率を向上させることができる。
【０２１４】
本変形例によれば、登録されていないユーザ端末に対しても、無線リソースが確保される限り、スループットの向上が期待できる。
【０２１５】
本基地局は、
ユーザ端末と無線通信を行う基地局であって、
ユーザ端末からの呼接続要求信号を受信した際に、当該基地局により利用されているリソース量に基づいて、該ユーザ端末からの呼接続要求を受け付けることができるかどうかを判定する呼接続受付判定部と、
該呼接続受付判定部により前記ユーザ端末からの呼接続要求を受け付けることができないと判定された場合に、該ユーザ端末をリダイレクションさせるべき他の基地局を設定するリダイレクション設定部と、
前記ユーザ端末に、前記リダイレクション設定部により設定された他の基地局を表す情報を通知する通知部と
を有する。
【０２１６】
さらに、
前記リダイレクション設定部は、前記ユーザ端末をリダイレクションさせるべき他の基地局として、当該基地局によりカバーされるセルの少なくとも一部をカバーするマクロ基地局を設定する。
【０２１７】
さらに、
ユーザ端末を登録するユーザ端末登録部と、
該ユーザ端末登録部に、前記呼接続要求を送信したユーザ端末が登録されているかどうかを判定するユーザ端末判定部と
を有し、
前記呼接続受付判定部は、前記ユーザ端末判定部により登録されていると判定されたユーザ端末からの接続要求を受け付けるが、登録されていないと判定されたユーザ端末からの接続要求を受け付けないと判定するためのリソース量の閾値に基づいて、当該基地局により利用されているリソース量を判定する。
【０２１８】
さらに、
ユーザ端末を登録するユーザ端末登録部と、
該ユーザ端末登録部に、前記呼接続要求を送信したユーザ端末が登録されているかどうかを判定するユーザ端末判定部と
を有し、
前記呼接続受付判定部は、前記ユーザ端末登録部に登録されたユーザ端末からの呼接続要求を受け付けるかどうかを判定するためのリソース量に対応する第１リソース量閾値と、前記ユーザ端末登録部に登録されていないユーザ端末からの呼接続要求を受け付けるかどうかを判定するためのリソース量に対応する第２リソース量閾値と、前記ユーザ端末判定部による判定結果とに基づいて、前記呼接続要求を送信したユーザ端末の接続要求を受け付けるかどうかを判定する。
【０２１９】
さらに、
ユーザ端末を登録するユーザ端末登録部と、
該ユーザ端末登録部に、前記呼接続要求を送信したユーザ端末が登録されているかどうかを判定するユーザ端末判定部と
を有し、
前記呼接続受付判定部は、前記ユーザ端末登録部に登録されたユーザ端末の数に対応する第１ユーザ端末数閾値と、前記ユーザ端末登録部に登録されていないユーザ端末の数に対応する第２ユーザ端末数閾値と、前記ユーザ端末判定部による判定結果とに基づいて、前記呼接続要求を送信したユーザ端末の接続要求を受け付けるかどうかを判定する。
【０２２０】
さらに、
前記通知部は、回線解放命令信号に、前記リダイレクション設定部により設定された他の基地局を表す情報を含める。
【０２２１】
さらに、
前記リソースには、CQIリソース使用率、スケジューリングリクエストリソース使用率、サウンディングリファレンスシグナルリソース使用率、ベースバンド使用率、送信電力、CPU使用率、及び伝送路使用率のうち、少なくとも１つが含まれる。
【０２２２】
本無線通信システムは、
ユーザ端末と、ユーザ端末と無線通信を行う基地局とを有する無線通信システムであって、
前記基地局は、
ユーザ端末からの呼接続要求信号を受信した際に、当該基地局により利用されているリソース量に基づいて、該ユーザ端末からの呼接続要求を受け付けることができるかどうかを判定する呼接続受付判定部と、
該呼接続受付判定部により前記ユーザ端末からの呼接続要求を受け付けることができないと判定された場合に、該ユーザ端末をリダイレクションさせるべき他の基地局を設定するリダイレクション設定部と、
前記ユーザ端末に、前記リダイレクション設定部により設定された他の基地局を表す情報を通知する通知部と
を有し、
前記ユーザ端末は、
前記基地局との間で、呼接続処理を行う接続処理部
を有し、
前記接続処理部は、前記基地局により前記他の基地局を表す情報が通知された場合に、該他の基地局にリダイレクションを行う。
【０２２３】
本通信方法は、
ユーザ端末と無線通信を行う基地局における方法であって、
ユーザ端末からの呼接続要求信号を受信した際に、当該基地局により利用されているリソース量に基づいて、該ユーザ端末からの呼接続要求を受け付けることができるかどうかを判定する呼接続受付判定ステップと、
該呼接続受付判定ステップにより前記ユーザ端末からの呼接続要求を受け付けることができないと判定された場合に、該ユーザ端末をリダイレクションさせるべき他の基地局を設定するリダイレクション設定ステップと、
前記ユーザ端末に、前記リダイレクション設定ステップにより設定された他の基地局を表す情報を通知する通知ステップと
を有する。
【０２２４】
本基地局は、
ユーザ端末と無線通信を行う基地局であって、
ユーザ端末を登録するユーザ端末登録部と、
前記ユーザ端末登録部に登録されたユーザ端末と当該基地局との間、及び前記ユーザ端末登録部に登録されたユーザ端末以外のユーザ端末と当該基地局との間で、接続処理を行う接続処理部と、
当該基地局により利用されているリソース量を測定するリソース量測定部と、
前記リソース量測定部により、当該基地局により利用されているリソース量があらかじめ定められた閾値以上であると測定された場合に、前記ユーザ端末登録部に登録されたユーザ端末以外のユーザ端末から、呼切断すべきユーザ端末を選択する呼切断ユーザ端末選択部と
を有し、
前記接続処理部は、前記呼切断ユーザ端末選択部により選択された呼切断すべきユーザ端末との間の接続を切断する。
【０２２５】
さらに、
前記呼切断ユーザ端末選択部は、接続時間が長いユーザ端末の順に、呼切断すべきユーザ端末を選択する。
【０２２６】
さらに、
前記呼切断ユーザ端末選択部は、送信すべきデータが存在しない無通信時間が長いユーザ端末の順に、呼切断すべきユーザ端末を選択する。
【０２２７】
さらに、
前記リソース量測定部により、当該基地局により利用されているリソース量が前記あらかじめ定められた閾値以上であると判定された場合に、ユーザ端末毎に設定されるべき、呼の解放を行うまでの無通信時間を表す閾値のうち、前記ユーザ端末登録部に登録されたユーザ端末以外のユーザ端末に対応する閾値を短い値に設定する呼解放時間閾値設定部
を有し、
前記接続処理部は、前記無通信時間が前記呼解放時間閾値設定部に設定された閾値に達したユーザ端末との間の呼を切断する。
【０２２８】
さらに、
前記呼切断ユーザ端末選択部は、前記ユーザ端末登録部に登録されたユーザ端末以外のユーザ端末の全てを選択する。
【０２２９】
さらに、
当該基地局により利用可能なリソース量に基づいて、前記ユーザ端末登録部に登録されたユーザ端末に使用させるべきリソース量と、該ユーザ端末登録部に登録されたユーザ端末以外のユーザ端末に使用させるべきリソース量との間の割合を設定するリソース割合設定部
を有する。
【０２３０】
さらに、
前記リソースには、CQIリソース使用率、スケジューリングリクエストリソース使用率、サウンディングリファレンスシグナルリソース使用率、ベースバンド使用率、送信電力、CPU使用率、及び伝送路使用率のうち、少なくとも１つが含まれる。
【０２３１】
さらに、
ユーザ端末と無線通信を行う基地局における通信方法であって、
ユーザ端末を登録するユーザ端末登録ステップと、
前記ユーザ端末登録ステップにより登録されたユーザ端末と当該基地局との間、及び前記ユーザ端末登録ステップにより登録されたユーザ端末以外のユーザ端末と当該基地局との間で、接続処理を行う接続処理ステップと、
当該基地局により利用されているリソース量を測定するリソース量測定ステップと、
前記リソース量測定ステップにより、当該基地局により利用されているリソース量が前記所定の閾値以上であると測定された場合に、前記ユーザ端末登録ステップにより登録されたユーザ端末以外のユーザ端末から、呼切断すべきユーザ端末を選択する呼切断ユーザ端末選択ステップと
前記呼切断ユーザ端末選択ステップにより選択された呼切断すべきユーザ端末との間の接続を切断する呼切断ステップと
を有する。
【０２３２】
説明の便宜上、発明の理解を促すため具体的な数値例を用いて説明されるが、特に断りのない限り、それらの数値は単なる一例に過ぎず適切な如何なる値が使用されてよい。
【０２３３】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０２３４】
１００  第１の基地局
１５０  第１の基地局のセル
２００  第２の基地局
２０２  下りリンク信号受信部
２０４  上りリンク信号送信部
２０６  制御部
２０６２  ユーザ端末判定部
２０６４  呼接続受付判定部
２０６６  リダイレクション判定部
２０６８  無線リソース量判定部
２０７０  呼切断ユーザ端末選択部
２０７２  接続処理部
２０７４  無線リソース割合設定部
２０７６  接続ユーザ端末数判定部
２０８  指示部
２１０  管理部
２１２  下りリンク信号送信部
２１４  上りリンク信号受信部
２５０  第２の基地局のセル
３００  ユーザ端末
３０２  接続処理部
【図１】
0005410410.tif 000002
【図２】
0005410410.tif 000003
【図３】
0005410410.tif 000004
【図４】
0005410410.tif 000005
【図５】
0005410410.tif 000006
【図６】
0005410410.tif 000007
【図７】
0005410410.tif 000008
【図８】
0005410410.tif 000009
【図９】
0005410410.tif 000010
【図１０】
0005410410.tif 000011
【図１１】
0005410410.tif 000012
【図１２】
0005410410.tif 000013
【図１３】
0005410410.tif 000014